(57)【要約】【課題】テープ巻きが行われるプロテクタが用いられても変形が発生され難いプロテクタを提供する。【解決手段】線状体１００，１１０が収容されるプロテクタ本体７０と、このプロテクタ本体７０に取付けられると共にプロテクタ本体７０の変形を防止する蓋１０，２０とを備え、蓋１０，２０に対応した取付部９１ａ，９１ｈ，９２ａ，９２ｈがプロテクタ本体７０に設けられ、取付部９１ａ，９１ｈ，９２ａ，９２ｈに蓋１０，２０が合せられることで、プロテクタ本体７０に対し蓋１０，２０が閉じられる。前記取付部９１ａ，９１ｈ，９２ａ，９２ｈは、前記プロテクタ本体７０の側壁７１，７２に設けられた切込部９１ａ，９１ｈ，９２ａ，９２ｈとされた。前記切込部９１ａ，９１ｈ，９２ａ，９２ｈに対応して、前記蓋１０，２０にリブ１１ａ，１１ｈ，２２ａ，２２ｈ，２２ｐが設けられた。【選択図】　　　図１
2004007911.tif 000002
【特許請求の範囲】
【請求項１】
線状体が収容されるプロテクタ本体と、該プロテクタ本体に取付けられると共に該プロテクタ本体の変形を防止する蓋とを備え、該蓋に対応した取付部が該プロテクタ本体に設けられ、該取付部に該蓋が合せられることで、該プロテクタ本体に対し該蓋が閉じられることを特徴とするプロテクタ。
【請求項２】
前記取付部は、前記プロテクタ本体の側壁に設けられた切込部とされたことを特徴とする請求項１記載のプロテクタ。
【請求項３】
前記切込部に対応して、前記蓋にリブが設けられたことを特徴とする請求項２記載のプロテクタ。
【請求項４】
前記プロテクタ本体の一側壁に一ヒンジ部が設けられると共に、該一ヒンジ部を介して一方の蓋が開閉自在に該プロテクタ本体に設けられ、且つ、該プロテクタ本体の他側壁に他ヒンジ部が設けられると共に、該他ヒンジ部を介して他方の蓋が開閉自在に該プロテクタ本体に設けられたことを特徴とする請求項１〜３の何れか１項に記載のプロテクタ。
【請求項５】
前記一ヒンジ部を中心として前記一方の蓋が一方向に回動されることで、前記プロテクタ本体に対して該一方の蓋が閉じられ、前記他ヒンジ部を中心として前記他方の蓋が他方向に回動されることで、該プロテクタ本体に対して該他方の蓋が閉じられることを特徴とする請求項４記載のプロテクタ。
【請求項６】
一つの前記プロテクタ本体に複数の前記蓋が設けられ、該プロテクタ本体に対し複数の該蓋が閉じられることで、該プロテクタ本体に設けられた収容室の一部分が塞がれ、且つ、該収容室の他の部分は開口状態とされたことを特徴とする請求項１〜５の何れか１項に記載のプロテクタ。
【請求項７】
前記プロテクタが相手側取付体に装着されるための固定部が前記プロテクタ本体に設けられ、該固定部の近傍に前記蓋が合せられることを特徴とする請求項１〜６の何れか１項に記載のプロテクタ。
【請求項８】
前記蓋にテープ固定部が設けられ、該蓋の該テープ固定部を介してテープが前記プロテクタ本体に巻付けられることで、該プロテクタ本体に対し該蓋が閉じられると共に、該プロテクタ本体に対し該蓋が固定されることを特徴とする請求項１〜７の何れか１項に記載のプロテクタ。
【請求項９】
テープが用いられて前記線状体が前記プロテクタ本体に固定されるためのテープ巻き部が、該プロテクタ本体に設けられたことを特徴とする請求項１〜８の何れか１項に記載のプロテクタ。
【請求項１０】
前記線状体として、自動車の車輌本体に配策されるワイヤハーネスが用いられたことを特徴とする請求項１〜９の何れか１項に記載のプロテクタ。
【発明の詳細な説明】
【０００１】
【発明の属する技術分野】
本発明は、例えばプロテクタが装着される車輌の取付位置に対し、位置ずれの発生が防止されたプロテクタに関するものである。
【０００２】
【従来の技術】
従来、ワイヤハーネスにプロテクタを装着させる際に、テープが用いられて、ワイヤハーネスと、プロテクタとを巻付け固定させることで、両者を固定させていた。プロテクタに関する従来の技術が記載されたものとして、例えば特開平１０−２３４１２１号公報が挙げられる。
【０００３】
【発明が解決しようとする課題】
しかしながら、上記従来のプロテクタにあっては、テープが用いられて、ワイヤハーネスと、プロテクタとを固定させようとした場合、プロテクタに変形が生じ、プロテクタに寸法のずれが発生されるということが懸念されていた。
【０００４】
プロテクタに寸法のずれが発生されると、プロテクタが車輌に取付けられる際に、プロテクタに設けられたクリップと、前記クリップに対応した車輌側取付孔とに位置ずれが生じることとなり、このことから、車輌に対してプロテクタがスムーズに取付けられないといったことが問題とされていた。
【０００５】
また、そのような状態において、無理にプロテクタを車輌に取付けようとすると、プロテクタが捩られることとなり、このことから、プロテクタに変形が生じるということが懸念されていた。
【０００６】
本発明は、上記した点に鑑み、例えばテープ巻きが行われるプロテクタが用いられても変形が発生され難いプロテクタを提供することを目的とする。
【０００７】
【課題を解決するための手段】
上記目的を達成するために、本発明の請求項１に係るプロテクタは、線状体が収容されるプロテクタ本体と、該プロテクタ本体に取付けられると共に該プロテクタ本体の変形を防止する蓋とを備え、該蓋に対応した取付部が該プロテクタ本体に設けられ、該取付部に該蓋が合せられることで、該プロテクタ本体に対し該蓋が閉じられることを特徴とする。
上記構成により、例えばテープが用いられて線状体と、線状体が収容されるプロテクタ本体とが固定される場合、プロテクタ本体に取付けられた蓋がプロテクタ本体の変形を防止する役割を果すこととなる。従って、プロテクタ本体の変形は発生され難いものとなる。
【０００８】
請求項２に係るプロテクタは、請求項１に係るプロテクタにおいて、前記取付部は、前記プロテクタ本体の側壁に設けられた切込部とされたことを特徴とする。
上記構成により、プロテクタ本体に対して蓋が閉じられた際に、蓋は、プロテクタ本体の側壁に設けられた切込部に合せられることとなる。これにより、プロテクタ本体の変形は、発生され難いものとなる。
【０００９】
請求項３に係るプロテクタは、請求項２に係るプロテクタにおいて、前記切込部に対応して、前記蓋にリブが設けられたことを特徴とする。
上記構成により、プロテクタ本体に対して蓋が閉じられた際に、蓋のリブと、プロテクタ本体の側壁に設けられた切込部とが合せられることとなる。これにより、プロテクタ本体の変形は、より発生され難いものとなる。
【００１０】
請求項４に係るプロテクタは、請求項１〜３の何れか１項に係るプロテクタにおいて、前記プロテクタ本体の一側壁に一ヒンジ部が設けられると共に、該一ヒンジ部を介して一方の蓋が開閉自在に該プロテクタ本体に設けられ、且つ、該プロテクタ本体の他側壁に他ヒンジ部が設けられると共に、該他ヒンジ部を介して他方の蓋が開閉自在に該プロテクタ本体に設けられたことを特徴とする。
上記構成により、一ヒンジ部と、他ヒンジ部とによって、プロテクタ本体の変形は、発生され難いものとなる。また、請求項３記載の発明と、請求項４記載の発明とが併用されることで、プロテクタ本体の変形発生は、より防止されることとなる。
【００１１】
請求項５に係るプロテクタは、請求項４に係るプロテクタにおいて、前記一ヒンジ部を中心として前記一方の蓋が一方向に回動されることで、前記プロテクタ本体に対して該一方の蓋が閉じられ、前記他ヒンジ部を中心として前記他方の蓋が他方向に回動されることで、該プロテクタ本体に対して該他方の蓋が閉じられることを特徴とする。
上記構成により、プロテクタ本体の捩れによる変形の発生は、未然に防止されることとなる。また、プロテクタ本体に対し一方の蓋が閉じられる回動方向と、プロテクタ本体に対し他方の蓋が閉じられる回動方向とが、それぞれ反対の方向とされてあれば、プロテクタに捩りの力が加えられることがあっても、プロテクタの変形は、より発生され難いものとされる。
【００１２】
請求項６に係るプロテクタは、請求項１〜５の何れか１項に係るプロテクタにおいて、一つの前記プロテクタ本体に複数の前記蓋が設けられ、該プロテクタ本体に対し複数の該蓋が閉じられることで、該プロテクタ本体に設けられた収容室の一部分が塞がれ、且つ、該収容室の他の部分は開口状態とされたことを特徴とする。
上記構成により、厳しい寸法精度が必要とされることのない複数の蓋と、同じく厳しい寸法精度が必要とされることのないプロテクタ本体とを備えるプロテクタが構成されることとなる。これにより、プロテクタに関する過剰な品質管理は不必要なものとされ、結果として価格が低減化され且つ変形され難いプロテクタが提供可能となる。
【００１３】
請求項７に係るプロテクタは、請求項１〜６の何れか１項に係るプロテクタにおいて、前記プロテクタが相手側取付体に装着されるための固定部が前記プロテクタ本体に設けられ、該固定部の近傍に前記蓋が合せられることを特徴とする。
上記構成により、プロテクタ本体の変形は発生され難いものとされ、これにより、相手側取付体にプロテクタが装着される際に、相手側取付体に対するプロテクタの位置ずれは発生され難いものとなる。従って、プロテクタは、容易で迅速に相手側取付体に組付けられることとなる。
【００１４】
請求項８に係るプロテクタは、請求項１〜７の何れか１項に係るプロテクタにおいて、前記蓋にテープ固定部が設けられ、該蓋の該テープ固定部を介してテープが前記プロテクタ本体に巻付けられることで、該プロテクタ本体に対し該蓋が閉じられると共に、該プロテクタ本体に対し該蓋が固定されることを特徴とする。
上記構成により、テープの巻付けが行われることによって、蓋は確実にプロテクタ本体に固定されることとなる。従って、線状体はプロテクタ本体内に確実に収容されることとなる。
【００１５】
請求項９に係るプロテクタは、請求項１〜８の何れか１項に係るプロテクタにおいて、テープが用いられて前記線状体が前記プロテクタ本体に固定されるためのテープ巻き部が、該プロテクタ本体に設けられたことを特徴とする。
上記構成により、プロテクタ本体のテープ巻き部にテープが巻かれることで、線状体はプロテクタ本体内に確実に収容されることとなる。
【００１６】
請求項１０に係るプロテクタは、請求項１〜９の何れか１項に係るプロテクタにおいて、前記線状体として、自動車の車輌本体に配策されるワイヤハーネスが用いられたことを特徴とする。
上記構成により、自動車の車輌本体にワイヤハーネスが配策される場合、ワイヤハーネスに装着されたプロテクタが自動車の車輌本体に組付けられることで、容易で迅速に自動車の車輌本体にワイヤハーネスを配策させることが可能となる。従って、自動車の組立工程に関するワイヤハーネスの配策作業が迅速化されることとなる。
【００１７】
【発明の実施の形態】
以下に本発明の一実施の形態を図面に基づいて詳細に説明する。
図１は、本発明に係るプロテクタの一実施形態を示す分解斜視図である。図２は、プロテクタの一方の蓋とプロテクタ本体の側壁とを示す説明図であり、（ａ）は図１に示されるプロテクタ本体の一端側の取付部を示す拡大図、（ｂ）は（ａ）の変形例を示す説明図である。図３は、プロテクタの他方の蓋とプロテクタ本体の側壁とを示す説明図であり、（ａ）は図１に示されるプロテクタ本体の他端側の取付部を示す拡大図、（ｂ）は（ａ）の変形例を示す説明図である。図４は、プロテクタのテープ巻き部を示す側面図であり、（ａ）は図１に示されるプロテクタ本体のテープ巻き部を示す拡大図、（ｂ）は（ａ）の変形例を示す説明図である。図５は、プロテクタの一端側の固定部を示す斜視図である。
【００１８】
図１の如く、プロテクタ１は、ワイヤハーネス１００を保護するために、ワイヤハーネス１００が収容される合成樹脂製のプロテクタ本体７０と、このプロテクタ本体７０に一体に取付けられると共に、プロテクタ本体７０の捩れによる変形を防止する合成樹脂製の複数の蓋１０，２０とを備えるものとして形成されている。
【００１９】
ワイヤハーネス１００は、一般に複数のケーブル１１０などが束ねられ、粘着剤付の柔軟な集束用テープ２３０などが用いられて、複数のケーブル１１０が一つのものとして構成された組電線もしくは組配線を意味するが、図１の如く、プロテクタ１と、各粘着テープ２１０，２２０，２３０とが用いられて、複数のケーブル１１０が一つのものに束ねられるワイヤハーネス１００も使用可能とされる。ケーブル１１０は、銅線が用いられて導体１１１が形成されると共に、この導体１１１の外周部に塩化ビニル系ポリマーの絶縁被覆体１１２が設けられることにより構成されたものである。ケーブルは、一般に電線として取扱われている。
【００２０】
プロテクタ本体７０は、湾曲状に形成された細長い基壁７３と、この基壁７３に対して略直角に立設された円弧状の一側壁７１と、同じく基壁７３に対して略直角に立設され且つ前記一側壁７１と略平行に向い合わされて設けられた円弧状の他側壁７２と、前記他側壁７２に続き、前記基壁７３と前記他側壁７２とに対して略直角に設けられたプロテクタ本体７０の一端７０ａ側に位置するその他の側壁７４と、前記一側壁７１に続き、前記基壁７３と前記一側壁７１とに対して略直角に設けられたプロテクタ本体７０の一端７０ａ側に位置する異形状の別の側壁７６と、前記別の側壁７６と前記その他の側壁７４とを連結し前記基壁７３に対して鈍角な角度に設けられた傾斜側壁７５とを備えるものとされ、プロテクタ本体７０に、細長い略Ｌ字状をした開口部７９と、同じく細長い略Ｌ字状をした収容室８０とが設けられている。
【００２１】
プロテクタ本体７０を形成する基壁７３と、この基壁７３に対して略直角に設けられた各側壁７１，７２，７６との強度を向上させて、プロテクタ１の捩りに対する強度を向上させるために、基壁７３と、各側壁７１，７２，７６との間に、間隔をおいて複数の小さいリブ８３が設けられている。
【００２２】
このような複数の小さいリブ８３が、プロテクタ本体７０の収容室８０の隅部に設けられてあれば、プロテクタ本体７０の収容室８０内の容積は僅かに減らされるものの、プロテクタ本体７０の収容室８０内に収納される複数のケーブル１１０などの線状体１１０に影響が及ぼされることは回避され、しかもプロテクタ１の強度が向上されることとなる。
【００２３】
プロテクタ本体７０の他端７０ｂ側において、プロテクタ本体７０の基壁７３は、複数のケーブル１１０をガイドする幅狭をした突出片７３ａとして延設されている。また、プロテクタ本体７０の基壁７３に、複数の円形をした貫通孔８８と、長円形をした他の貫通孔８９とが設けられている。
【００２４】
プロテクタ本体７０に設けられた略Ｌ字状の細長い開口部７９から収容室８０内に、複数の前記ケーブル１１０がばらけた状態または一つに束ねられたハーネスの状態で収納される。ワイヤハーネス１００は、プロテクタ本体７０を形成する前記基壁７３および前記各側壁７１，７２，７４，７５，７６に沿わされて、プロテクタ本体７０の収容室８０内に収納される。
【００２５】
プロテクタ本体７０の一端７０ａ側に被せられる一方の蓋１０は、略平板状をした傾斜基板１０ｓと、テープ固定部１０ｔを兼ねた平板１０ｔと、前記基板１０ｓと前記平板１０ｔとを連結する傾斜板１０ｕと、前記傾斜基板１０ｓと前記傾斜板１０ｕとを結ぶ側板１０ｖとを備えるものとして形成されている。プロテクタ本体７０の他端７０ｂ側に被せられる他方の蓋２０は、テープ固定部２０ｔを兼ねた湾曲状平板２０ｔを備えるものとして形成されている。
【００２６】
プロテクタ本体７０に設けられた一方の蓋１０に対応して、プロテクタ本体７０の一端７０ａ側の両側壁７１，７２に、一側の取付部９１ａ，９１ｈが設けられている。また、プロテクタ本体７０に設けられた他方の蓋２０に対応して、プロテクタ本体７０の他端７０ｂ側の両側壁７１，７２に、他側の取付部９２ａ，９２ｈが設けられている。
【００２７】
複数のケーブル１１０がプロテクタ本体７０の細長い収容室８０内に収納された後に、プロテクタ本体７０の一端７０ａ側の両側壁７１，７２に設けられた一側の取付部９１ａ，９１ｈに、一方の蓋１０が合せられることで、プロテクタ本体７０に対し一方の蓋１０が閉じられる。
【００２８】
また、複数のケーブル１１０がプロテクタ本体７０の細長い収容室８０内に収納された後に、プロテクタ本体７０の他端７０ｂ側の両側壁７１，７２に設けられた他側の取付部９２ａ，９２ｈに、他方の蓋２０が合せられることで、プロテクタ本体７０に対し他方の蓋２０が閉じられる。
【００２９】
このように複数の蓋１０，２０を備えるプロテクタ１が形成されてあれば、例えば粘着剤付のテープ２１０，２２０，２３０が用いられて複数のケーブル１１０と、複数のケーブル１１０が収容されるプロテクタ本体７０とが固定される場合、プロテクタ本体７０の両端部近傍に取付けられると共にプロテクタ本体７０の両端部近傍に被せられる各蓋１０，２０が、プロテクタ本体７０の捩れによる変形を防止する役割を果すこととなる。従って、プロテクタ本体７０の捩れによる変形は発生され難いものとなる。
【００３０】
図１に示される如く、このプロテクタ１は、長尺状をした合成樹脂製のプロテクタ本体７０を備えるものとされ、且つ、このプロテクタ１は、三次元の方向に延設された立体形状のものとされていることから、長尺状をした合成樹脂製のプロテクタ本体７０に変形が発生され易いものとされていた。しかしながら、長尺状をしたプロテクタ本体７０の両端部の近傍に複数の蓋１０，２０が合わされるものとされてあれば、プロテクタ本体７０の強度は向上されることとなる。従って、変形され難い長尺状のプロテクタ１が構成されることとなる。
【００３１】
前記プロテクタ本体７０と、プロテクタ本体７０に備えられる複数の蓋１０，２０とは、各物性、成形加工性、価格などの点で優れるポリプロピレン樹脂（ＰＰと略称する）が用いられて形成されている。プロテクタ本体７０と、複数の蓋１０，２０とは、共に同材質の前記合成樹脂材が用いられ、且つ、射出成形法に基づいて形成されたものであり、プロテクタ本体７０および複数の蓋１０，２０と同材質とされる前記合成樹脂材の可撓性ヒンジ８１，８２を介して、プロテクタ本体７０と、複数の蓋１０，２０とが一体とされるように形成されたものである。
【００３２】
このように、可撓性ヒンジ８１，８２を介して、プロテクタ本体７０と、複数の蓋１０，２０とが一体に形成されてあれば、例えばプロテクタ本体７０に対して各蓋１０，２０が不用意に見失われてしまい、このことから、各蓋１０，２０をプロテクタ本体７０に組付けることができないといった不具合の発生を未然に回避させることができる。
【００３３】
また、プロテクタ本体７０に対して、複雑な形状をした一方の蓋１０の開閉動作がスムーズに行われるために、プロテクタ本体７０と、一方の蓋１０とを連結する可撓性ヒンジ８１の略中央部に、寸法誤差吸収用の逃し孔８６が設けられている。
【００３４】
図１，図２（ａ）の如く、プロテクタ本体７０の一端７０ａ側に設けられた一側の取付部９１ａ，９１ｈは、プロテクタ本体７０を形成する両側壁７１，７２の一端７０ａ側の縁端部７１ａ，７２ａに設けられた切込部９１ａ，９１ｈとして形成されている。
【００３５】
また、図１，図３（ａ）の如く、プロテクタ本体７０の他端７０ｂ側に設けられた他側の取付部９２ａ，９２ｈは、プロテクタ本体７０を形成する両側壁７１，７２の他端７０ｂ側の縁端部７１ａ，７２ａに設けられた切込部９２ａ，９２ｈとして形成されている。
【００３６】
このような切込部９１ａ，９１ｈ，９２ａ，９２ｈがプロテクタ本体７０に設けられてあれば、プロテクタ本体７０に対して各蓋１０，２０が閉じられた際に、各蓋１０，２０は、プロテクタ本体７０の両側壁７１，７２の縁端部７１ａ，７２ａに設けられた各切込部９１ａ，９１ｈ，９２ａ，９２ｈに、確実に合せられることとなる。これにより、プロテクタ本体７０の捩れによる変形は、発生され難いものとなる。
【００３７】
図２（ａ）を用いて具体的に説明すると、プロテクタ本体７０に対して一方の蓋１０が閉じられた際に、プロテクタ本体７０の他側壁７２の縁端部７２ａに設けられた平面状の切込面９１ｉと、一方の蓋１０の縁端部１０ｈにおける平面状の内側面１３とが当接されて、プロテクタ本体７０の切込部９１ｈに一方の蓋１０が合せられる。
【００３８】
また、図３（ａ）を用いて具体的に説明すると、プロテクタ本体７０に対して他方の蓋２０が閉じられた際に、プロテクタ本体７０の一側壁７１の縁端部７１ａに設けられた湾曲状の切込面９２ｉと、他方の蓋２０の縁端部２０ｈにおける湾曲状の内側面２３とが当接されて、プロテクタ本体７０の切込部９２ｈに他方の蓋２０が合せられる。
【００３９】
また、図１，図２（ａ）の如く、プロテクタ本体７０を形成する両側壁７１，７２の一端７０ａ側の縁端部７１ａ，７２ａに設けられた前記各切込部９１ａ，９１ｈに対応して、一方の蓋１０の縁端部１０ａ，１０ｈの近傍に、各リブ１１ａ，１１ｈが設けられている。前記各リブ１１ａ，１１ｈは、一方の蓋１０の内側面１３から突設されたものとされている。
【００４０】
また、図１，図３（ａ）の如く、プロテクタ本体７０を形成する両側壁７１，７２の他端７０ｂ側の縁端部７１ａ，７２ａに設けられた前記各切込部９２ａ，９２ｈに対応して、他方の蓋２０の縁端部２０ａ，２０ｈの近傍に、略湾曲状に形成された各リブ２２ａ，２２ｈ，２２ｐが設けられている。前記各リブ２２ａ，２２ｈ，２２ｐは、略湾曲板状に形成された他方の蓋２０のテープ固定部２０ｔに沿って、他方の蓋２０の内側面２３から突設されたものとされている。
【００４１】
このような各リブ１１ａ，１１ｈ，２２ａ，２２ｈ，２２ｐが各蓋１０，２０の内側面１３，２３から突設されてあれば、プロテクタ本体７０に対して各蓋１０，２０が閉じられた際に、各蓋１０，２０の縁端部１０ａ，１０ｈ，２０ａ，２０ｈの近傍に設けられたリブ１１ａ，１１ｈ，２２ａ，２２ｈ，２２ｐと、プロテクタ本体７０の両側壁７１，７２の縁端部７１ａ，７２ａに設けられた各切込部９１ａ，９１ｈ，９２ａ，９２ｈとが略合せられることとなる。これにより、プロテクタ本体７０の捩れによる変形は、より発生され難いものとなる。
【００４２】
図１に示される一方の蓋１０のヒンジ８１側における縁端部１０ａ近傍に、リブ１１ａが設けられると共に、前記縁端部１０ａに続く他の縁端部１０ｂに、前記リブ１１ａの延長部１１ｂが連成され、前記リブ１１ａは略Ｌ字状に形成されている。このリブ１１ａは、プロテクタ本体７０を形成する一側壁７１のヒンジ８１の隣に設けられた切込部９１ａに対応されると共に、前記リブ１１ａの延長部１１ｂは、プロテクタ本体７０を形成する別の側壁７６の縁端部７６ｂ近傍に対応されたものである。
【００４３】
また、一方の蓋１０のテープ固定部１０ｔの他の縁端部１０ｈ近傍に、他のリブ１１ｈが設けられると共に、前記縁端部１０ｈに続くその他の縁端部１０ｉに、前記他のリブ１１ｈの延長部１１ｉが連成され、前記他のリブ１１ｈは略Ｌ字状に形成されている。この他のリブ１１ｈは、プロテクタ本体７０を形成する他側壁７２の一端７０ａ側に設けられた切込部９１ｈに対応されると共に、前記リブ１１ｈの延長部１１ｉは、プロテクタ本体７０を形成するその他の側壁７４の縁端部７４ｉに対応されたものである。
【００４４】
また、図１および図３（ａ）の如く、一側壁７１に対応する他方の蓋２０の縁端部２０ｈ近傍に、二列のリブ２２ｈ，２２ｐが並設されており、プロテクタ本体７０に対して他方の蓋２０が閉じられた際に、二列のリブ２２ｈ，２２ｐの間に一側壁７１の切込部９２ｈが隙間をもって位置することとなる。これにより、プロテクタ本体７０に対する他方の蓋２０のズレは発生され難いものとなる。
【００４５】
また、図２（ａ）の如く、端部に垂直面１２ｊが形成されたリブ１１ｈを備える一方の蓋１０に代えて、図２（ｂ）の如く、端部に傾斜面１２ｋが形成されたリブ１１ｈ１　を備える一方の蓋１０１　も使用可能とされる。また、これに対応して、図２（ａ）の如く、垂直面９１ｊが形成されたプロテクタ本体７０の切込部９１ｈに代えて、図２（ｂ）の如く、傾斜面９１ｋが形成されたプロテクタ本体７０の切込部９１ｈ１　も使用可能とされる。
【００４６】
また、図３（ａ）の如く、緩やかな湾曲状に形成された切込面９２ｉと、一対の傾斜面９２ｋとを備える切込部９２ｈに代えて、図３（ｂ）の如く、略平面状に形成された切込面９２ｉ１　と、傾斜面９２ｋと、垂直面９２ｊとを備える切込部９２ｈ１　も使用可能とされる。
【００４７】
また、これに対応して、図３（ａ）の如く、湾曲状平板２０ｔの内側面２３に沿って、湾曲状平板２０ｔの縁端部２０ｈ近傍に湾曲状リブ２２ｈ，２２ｐが並設されると共に、湾曲状リブ２２ｈ，２２ｐの始端と終端とに傾斜面２２ｋが設けられたという他方の蓋２０に代えて、図３（ｂ）の如く、平板２０ｔ１　の内側面２３１　に沿って、平板２０ｔ１　の縁端部２０ｈ１　近傍に真直状リブ２２ｈ１　，２２ｐ１　が並設されると共に、真直状リブ２２ｈ１　，２２ｐ１　に垂直面２２ｊと傾斜面２２ｋとが設けられたという他方の蓋２０１　も使用可能とされる。
【００４８】
図２および図３の如く、プロテクタ本体１，１Ｘの各切込部９１ｈ１　，９２ｈ，９２ｈ１　、又は、各蓋１０，２０のリブ１１ｈ１　，２２ｈ，２２ｈ１　に、傾斜面１２ｋ，２２ｋ，９１ｋ，９２ｋが設けられてあれば、厳しい寸法公差が必要とされることなく、プロテクタ本体７０に対し各蓋１０，２０は容易に閉じられることとなる。
【００４９】
即ち、プロテクタ本体７０に対して各蓋１０，２０が閉じられる際に、寸法誤差により、各蓋１０，２０と、プロテクタ本体７０とがうまく合されないといった不具合の発生は、未然に防止されることとなる。従って、過剰な寸法精度の管理および維持が不要とされ、且つ、各蓋１０，２０の開閉動作がスムーズに行われるプロテクタ１，１Ｘが提供されることとなる。
【００５０】
図１の如く、プロテクタ本体７０を形成する一側壁７１の一端７０ａ側に一ヒンジ部８１が設けられると共に、一ヒンジ部８１を介して一方の蓋１０が開閉自在にプロテクタ本体７０に装着されている。このように、一ヒンジ部８１を介して一方の蓋１０が開閉自在にプロテクタ本体７０の一側壁７１に装着されてあれば、プロテクタ本体７０に対して一方の蓋１０が閉じられた際に、一ヒンジ８１と連結された一方の蓋１０の縁端部１０ａは、確実にプロテクタ本体７０の切込部９１ａと合せられることとなる。
【００５１】
また、プロテクタ本体７０を形成する一側壁７１の切込部９１ａの近傍において、一方の蓋１０に、リブ１１ａと、ヒンジ８１とが隣接して設けられており、プロテクタ本体７０に対して一方の蓋１０が閉じられた際に、リブ１１ａと、ヒンジ８１との間に、一側壁７１の切込部９１ａが隙間をもって位置することとなる。これにより、プロテクタ本体７０に対する一方の蓋１０のズレは発生され難いものとなる。
【００５２】
また、プロテクタ本体７０を形成する他側壁７２の他端７０ｂ側に他ヒンジ部８２が設けられると共に、他ヒンジ部８２を介して他方の蓋２０が開閉自在にプロテクタ本体７０に装着されている。このように、他ヒンジ部８２を介して他方の蓋２０が開閉自在にプロテクタ本体７０の他側壁７２に装着されてあれば、プロテクタ本体７０に対して他方の蓋２０が閉じられた際に、他ヒンジ８２と連結された他方の蓋２０の縁端部２０ａは、確実にプロテクタ本体７０の切込部９２ａと合せられることとなる。
【００５３】
また、プロテクタ本体７０を形成する他側壁７２の切込部９２ａの近傍において、他方の蓋２０に、リブ２２ａと、ヒンジ８２とが隣接して設けられており、プロテクタ本体７０に対して他方の蓋２０が閉じられた際に、リブ２２ａと、ヒンジ８２との間に、他側壁７２の切込部９２ａが隙間をもって位置することとなる。これにより、プロテクタ本体７０に対する他方の蓋２０のズレは発生され難いものとなる。
【００５４】
プロテクタ本体７０に、前記一ヒンジ部８１と、前記他ヒンジ部８２とが、交互に設けられて、いわゆる千鳥状に位置するものとされていれば、プロテクタ本体７０の捩れによる変形の発生は、より防止されることとなる。
【００５５】
図１の如く、前記一ヒンジ部８１を中心として一方の蓋１０が一方向Ｒ１に回動されることで、プロテクタ本体７０に対して一方の蓋１０が閉じられる。また、前記他ヒンジ部８２を中心として他方の蓋２０が他方向Ｒ２に回動されることで、プロテクタ本体７０に対して他方の蓋２０が閉じられる。
【００５６】
このように、それぞれ異なる方向に沿って、一方の蓋１０と、他方の蓋２０とが回動されて、プロテクタ本体７０に一方の蓋１０と、他方の蓋２０とが被せられてあれば、プロテクタ本体７０の捩れによる変形の発生は、未然に防止されることとなる。
【００５７】
また、プロテクタ本体７０に対し一方の蓋１０が閉じられる回動方向と、プロテクタ本体７０に対し他方の蓋２０が閉じられる回動方向とが、それぞれ反対の方向とされてあれば、プロテクタ１に捩りの力が加えられることがあっても、プロテクタ１の変形は、より発生され難いものと期待される。
【００５８】
図１の如く、一つのプロテクタ本体７０の両端部近傍に二つの蓋１０，２０が設けられている。プロテクタ本体７０に対し一方の蓋１０が閉じられることで、プロテクタ本体７０に設けられた細長い収容室８０の一端７０ａ側の一部分８０１　が塞がれる。また、プロテクタ本体７０に対し他方の蓋２０が閉じられることで、プロテクタ本体７０に設けられた細長い収容室８０の他端７０ｂ側の一部分８０２　が塞がれる。また、プロテクタ本体７０に対し、前記一方の蓋１０と、前記他方の蓋２０とが閉じられた状態において、プロテクタ本体７０に設けられた細長い収容室８０の中間部７０ｃを含む他の部分８０３　は開口状態とされる。
【００５９】
このようにして、厳しい寸法精度が必要とされることのない二つの蓋１０，２０と、同じく厳しい寸法精度が必要とされることのない一つのプロテクタ本体７０とを備えるプロテクタ１が構成されている。これにより、プロテクタ１が製造される工程において、プロテクタ１に関する過剰な品質管理は不必要なものとされ、結果として価格が低減化され且つ変形され難いプロテクタ１が提供可能となる。
【００６０】
また、このような形態をしたプロテクタ１とされてあれば、プロテクタ本体７０の細長い収容室８０の中間部７０ｃ近傍を任意の角度に湾曲させて、例えば二次元の方向に曲げられたプロテクタ１や、さらに三次元の方向に曲げられたプロテクタ１を形成させることが可能となる。従って、価格が低減化されると共に、捩りによる変形が発生され難い所望の複雑な形状をしたプロテクタ１が提供されることとなる。
【００６１】
また、プロテクタ本体７０に対して全ての蓋１０，２０が閉じられた後に、プロテクタ本体７０に設けられた細長い収容室８０の中間部７０ｃが開口状態とされるプロテクタ１とされてあれば、ケーブル１１０などの線状体１１０の僅かな余長部を吸収させる逃し部として、プロテクタ本体７０の中間部７０ｃを使用するということも可能となる。
【００６２】
図１の如く、ワイヤハーネス１００などの線状体１００が収容されたプロテクタ１を、自動車の車輌本体などといった相手側取付体に容易で迅速に装着させるために、プロテクタ本体７０に複数の固定部３０，６０が設けられている。また、不図示の他の部材と掛り合わされるための掛合枠５１を備える掛合部５０が、プロテクタ本体７０の傾斜側壁７５から延設されている。
【００６３】
図１および図５の如く、一方の固定部３０は、クリップ４０を備える一ブラケット３０とされ、図１の如く、この一ブラケット３０は、プロテクタ本体７０のその他の側壁７４から突設されている。
【００６４】
図５の如く、一ブラケット３０は、クリップ４０などが突設される基板３１と、前記基板３１に対して斜めに位置する傾斜板３２と、前記基板３１と平行に延設された複数の補強板３３と、前記基板３１と交差される方向に延設された複数の他の補強板３４と、前記補強板３３と、前記他の補強板３４とに囲まれた矩形箱型の空間部３５と、その他の異形状をした他の空間部３６とを備えるものとして形成されている。
【００６５】
前記基板３１に立設されたクリップ４０は、基板３１から立上がる根元部４１と、この根元部４１から延設される支持部４２と、この支持部４２に続く先端部４３と、この先端部４３近傍の付根部４４と、付根部４４から延設される一対の係止羽根４５と、係止羽根４５の先端部近傍に設けられ相手側取付孔（図示せず）と当接される着座部４６と、着座部４６から延設される係止片４７とを備えるものとして形成されている。
【００６６】
また、前記クリップ４０が長期に亘って確実に相手取付体（図示せず）と係り止めされた状態に維持されるために、前記クリップ４０の周辺近傍に、一対の可撓弾性片４８が基部４９を介して前記基板３１から突設されている。
【００６７】
一ブラケット３０に突設されたクリップ４０が、自動車の車輌本体（図示せず）などの相手側取付体に設けられた取付孔（図示せず）に挿着されることで、プロテクタ本体７０の一ブラケット３０は、不図示の自動車の車輌本体などといった相手側取付体に組付けられる。
【００６８】
また、図１の如く、他方の固定部６０は、基板部６１と、この基板部６１に設けられた各形状の補強リブ６２と、基板部６１の先端側に設けられた固定孔６５とを備える他のブラケット６０とされ、他のブラケット６０は、プロテクタ本体７０の一側壁７１から突設されている。他のブラケット６０の固定孔６５と、固定孔６５に対応した自動車の車輌本体（図示せず）などの相手側取付体の挿着孔との間に生じる取付誤差が吸収可能とされるために、他のブラケット６０の固定孔６５は、補強リブに囲まれた略長円形の通し孔として形成されている。
【００６９】
他のブラケット６０の前記固定孔６５に不図示のボルト、ねじ等の止具が挿通され、止具と、自動車の車輌本体（図示せず）などの相手側取付体とが係り止めされることで、プロテクタ本体７０の他のブラケット６０は、不図示の自動車の車輌本体などといった相手側取付体に組付けられる。
【００７０】
プロテクタ１が前記相手側取付体に装着される前に、プロテクタ本体７０に設けられた一ブラケット３０の近傍に、一方の蓋１０が嵌め合わされる。また、プロテクタ本体７０に設けられた他のブラケット６０の近傍に、他方の蓋２０が嵌め合わされる。
【００７１】
このように、プロテクタ本体７０の両端部近傍に設けられた各ブラケット３０，６０の近傍において、プロテクタ本体７０に対し各蓋１０，２０が嵌め合わされるものとされているから、長尺状をしたプロテクタ本体７０の捩れによる変形は発生され難いものとなる。即ち、自動車の車輌本体などの相手側取付体にプロテクタ１が装着される際に、前記相手側取付体に対するプロテクタ１の位置ずれは発生され難いものとなる。
【００７２】
具体的に説明すると、プロテクタ本体７０に突設されたクリップ４０が、自動車の車輌本体などの相手側取付体（図示せず）の固定孔に挿着されると、プロテクタ本体７０から突設された他のブラケット６０の固定孔６５と、自動車の車輌本体などの相手側取付体に設けられた固定孔（図示せず）とが一致されず、このことから、ボルト、ねじ等の締付けによって相手側取付体に確実にプロテクタ１を装着させることができないといったことは、未然に回避されることとなる。従って、プロテクタ１は、容易で迅速に自動車の車輌本体などといった相手側取付体に組付けられることとなる。
【００７３】
図１に示される粘着剤付の柔軟なテープ２１０，２２０に対応して、図１，図２（ａ），図３（ａ）の如く、各蓋１０，２０は、略平板状をしたテープ固定部１０ｔ，２０ｔを備えるものとして形成されている。図２（ａ）に示される一方の蓋１０に代えて、図２（ｂ）の如く、平板状をしたテープ固定部１０ｔを備える一方の蓋１０１　が用いられたプロテクタ１Ｘも使用可能とされる。また、図３（ａ）に示される緩やかな湾曲状に形成された他方の蓋２０に代えて、図３（ｂ）の如く、平板状をしたテープ固定部２０ｔ１　を備える他方の蓋２０１　が用いられたプロテクタ１Ｘも使用可能とされる。
【００７４】
図１に示されるプロテクタ１が、複数のケーブル１１０を備えるワイヤハーネス１００に装着される手順について説明する。まず、複数のケーブル１１０がプロテクタ本体７０の細長い収容室８０内に収納される。次に、プロテクタ本体７０に対し、プロテクタ本体７０の両端部近傍に設けられた各蓋１０，２０が閉じられる。その後、テープ２１０，２２０が用いられて、各蓋１０，２０に設けられた略平板状のテープ固定部１０ｔ，２０ｔが覆われる。各蓋１０，２０と、プロテクタ本体７０とに、粘着剤付の柔らかいテープ２１０，２２０が巻付けられて、各蓋１０，２０と、プロテクタ本体７０とが固定される。
【００７５】
このようにすることで、プロテクタ本体７０に対して各蓋１０，２０が半開きの状態とされることなく、プロテクタ本体７０に対し各蓋１０，２０は確実に閉じられると共に、プロテクタ本体７０に対して各蓋１０，２０が確実に固定される。即ち、柔らかい粘着剤付のテープ２１０，２２０が用いられて、プロテクタ本体７０と、各蓋１０，２０とがテープ巻きされることで、各蓋１０，２０は確実にプロテクタ本体７０に固定されることとなる。
【００７６】
従って、複数のケーブル１１０が束ねられて構成されるワイヤハーネス１００は、プロテクタ本体７０の細長い収容室８０内に確実に収納されると共に、ワイヤハーネス１００などの線状体１００に、長尺状のプロテクタ１が装着されることとなる。また、ワイヤハーネス１００などの線状体１００の各曲部１０１，１０２，１０３は、プロテクタ本体７０の細長い収容室８０内に収納されて、前記線状体１００の各曲部１０１，１０２，１０３に無理な力が加えられることなく、前記線状体１００の各曲部１０１，１０２，１０３は、プロテクタ１により確実に保護されることとなる。
【００７７】
プロテクタ本体７０に対するテープ２１０，２２０，２３０の巻き方は、例えばテープが交差される巻き方など各種の巻き方が適用可能とされる。
【００７８】
図１に示される集束用のテープ２３０が用いられて複数のワイヤハーネス１００がプロテクタ本体７０に固定されるために、図１および図４（ａ）の如く、一対のテープ巻き部８０ａ，８０ｈがプロテクタ本体７０の略中間部７０ｃに設けられている。前記テープ巻き部８０ａ，８０ｈは、略凹形状をした切欠き部８０ａ，８０ｈを含むものとされ、略凹形状をした切欠き部８０ａ，８０ｈは、プロテクタ本体７０の両側壁７１，７２の縁端部７１ａ，７２ａに設けられている。
【００７９】
このような一対のテープ巻き部８０ａ，８０ｈがプロテクタ本体７０の略中間部７０ｃに設けられてあれば、容易にプロテクタ本体７０のテープ巻き部８０ａ，８０ｈに集束用のテープ２３０が巻付けられることとなる。プロテクタ本体７０の略中間部７０ｃにテープ巻きが施されていれば、図１に示されるプロテクタ本体７０の細長い収容室８０内に複数のケーブル１１０が収納され、且つ、このプロテクタ本体７０に対し、一方の蓋１０と、他方の蓋２０とが閉じられた状態において、プロテクタ本体７０に設けられた細長い収容室８０の中間部７０ｃが開口状態とされて、前記中間部７０ｃの開口部７９からケーブル１１０などの線状体１１０が甚だしくはみ出されるということは回避されることとなる。
【００８０】
従って、複数のケーブル１１０が収容されたプロテクタ本体７０の略中間部７０ｃのテープ巻き部８０ａ，８０ｈに、集束用のテープ２３０が巻付けられることで、複数のケーブル１１０は、プロテクタ本体７０の細長い収容室８０内に確実に収納されることとなる。
【００８１】
また、図４（ａ）に示される如く、緩やかな湾曲状に形成された切欠き面８０ｂと、一対の傾斜面８０ｃとを備える切欠き部８０ａに代えて、図４（ｂ）の如く、略平面状に形成された切欠き面８０ｂ１　と、傾斜面８０ｃと、垂直面８０ｄとを備える切欠き部８０ａ１　も使用可能とされる。
【００８２】
図１の如く、プロテクタ本体７０の基壁７３と、一側壁７１と、他側壁７２とが緩やかに曲げられて、プロテクタ本体７０の略中間部７０ｃに湾曲部７０ｄが形成されている。湾曲状に形成されたプロテクタ本体７０の基壁７３に沿って、複数のケーブル１１０がプロテクタ本体７０の細長い収容室８０内に収納されて、ワイヤハーネス１００に緩やかな湾曲部１０３が形成される。また、プロテクタ本体７０に設けられた収容室８０内の一端７０ａ側の一部分８０１　において、ワイヤハーネス１００が緩やかに曲げられつつ略直角に曲げられて、ワイヤハーネス１００に曲部１０１，１０２が形成される。
【００８３】
このようなプロテクタ１が用いられることで、プロテクタ本体７０の細長い収容室８０の一端７０ａ側から延設されるワイヤハーネス１００の方向と、プロテクタ本体７０の細長い収容室８０の他端７０ｂ側から延設されるワイヤハーネス１００の方向とは、一軸線上以外の異なる方向に設定されている。
【００８４】
細長い形状をしたプロテクタ１の収容室８０の中間部７０ｃと、プロテクタ１の一端７０ａ側における収容室８０の一部分８０１　とにおいて、ワイヤハーネス１００は三次元の方向に曲げられる。また、ワイヤハーネス１００の各曲部１０１，１０２，１０３に無理な曲げの力が加えられることなく、ワイヤハーネス１００は、プロテクタ１に保護されると共に所望の方向に曲げられる。
【００８５】
このように、細長い形状をしたプロテクタ１を中心として、一軸線上以外の異なる方向にワイヤハーネス１００を延設させる場合、ワイヤハーネス１００はプロテクタ１によって守られつつ適度に曲げられることとなる。従って、プロテクタ１の周辺が複雑な形状とされてあっても、ワイヤハーネス１００は無理に曲げられることなく、所望の方向へワイヤハーネス１００を延設させることが可能となる。
【００８６】
図１に示される線状体１００として、自動車の車輌本体（図示せず）に配策されるワイヤハーネス１００が用いられた。不図示の自動車の車輌本体にワイヤハーネス１００が配策される場合、ワイヤハーネス１００に装着された上記プロテクタ１が不図示の自動車の車輌本体に組付けられることで、容易で迅速に自動車の車輌本体にワイヤハーネス１００を配策させることが可能となる。従って、自動車の組立工程に関するワイヤハーネス１００の配策作業が迅速化され、これに伴って自動車の価格が低減化されることとなる。
【００８７】
【発明の効果】
以上の如く、請求項１記載の発明によれば、線状体が収容されるプロテクタ本体と、プロテクタ本体に取付けられると共にプロテクタ本体の変形を防止する蓋とを備え、蓋に対応した取付部がプロテクタ本体に設けられ、この取付部に蓋が合せられることで、プロテクタ本体に対し蓋が閉じられるプロテクタとされているから、例えばテープが用いられて線状体と、線状体が収容されるプロテクタ本体とが固定される場合、プロテクタ本体に取付けられた蓋がプロテクタ本体の変形を防止する役割を果すこととなる。従って、プロテクタ本体の変形は発生され難いものとなる。
【００８８】
請求項２記載の発明によれば、プロテクタ本体の取付部は、プロテクタ本体の側壁に設けられた切込部とされているから、プロテクタ本体に対して蓋が閉じられた際に、蓋は、プロテクタ本体の側壁に設けられた切込部に合せられることとなる。これにより、プロテクタ本体の変形は、発生され難いものとなる。
【００８９】
請求項３記載の発明によれば、プロテクタ本体の側壁に設けられた切込部に対応して、蓋にリブが設けられたものとされているから、プロテクタ本体に対して蓋が閉じられた際に、蓋のリブと、プロテクタ本体の側壁に設けられた切込部とが合せられることとなる。これにより、プロテクタ本体の変形は、より発生され難いものとなる。
【００９０】
請求項４記載の発明によれば、プロテクタ本体の一側壁に一ヒンジ部が設けられると共に、一ヒンジ部を介して一方の蓋が開閉自在にプロテクタ本体に設けられ、且つ、プロテクタ本体の他側壁に他ヒンジ部が設けられると共に、他ヒンジ部を介して他方の蓋が開閉自在にプロテクタ本体に設けられたものとされているから、一ヒンジ部と、他ヒンジ部とによって、プロテクタ本体の変形は、発生され難いものとなる。また、請求項３記載の発明と、請求項４記載の発明とが併用されることで、プロテクタ本体の変形発生は、より防止されることとなる。
【００９１】
請求項５記載の発明によれば、一ヒンジ部を中心として一方の蓋が一方向に回動されることで、プロテクタ本体に対して一方の蓋が閉じられ、他ヒンジ部を中心として他方の蓋が他方向に回動されることで、プロテクタ本体に対して他方の蓋が閉じられるものとされているから、プロテクタ本体の捩れによる変形の発生は、未然に防止されることとなる。また、プロテクタ本体に対し一方の蓋が閉じられる回動方向と、プロテクタ本体に対し他方の蓋が閉じられる回動方向とが、それぞれ反対の方向とされてあれば、プロテクタに捩りの力が加えられることがあっても、プロテクタの変形は、より発生され難いものとされる。
【００９２】
請求項６記載の発明によれば、一つのプロテクタ本体に複数の蓋が設けられ、プロテクタ本体に対し複数の蓋が閉じられることで、プロテクタ本体に設けられた収容室の一部分が塞がれ、且つ、プロテクタ本体に設けられた収容室の他の部分は開口状態とされているから、厳しい寸法精度が必要とされることのない複数の蓋と、同じく厳しい寸法精度が必要とされることのないプロテクタ本体とを備えるプロテクタが構成されることとなる。これにより、プロテクタに関する過剰な品質管理は不必要なものとされ、結果として価格が低減化され且つ変形され難いプロテクタが提供可能となる。
【００９３】
請求項７記載の発明によれば、プロテクタが相手側取付体に装着されるための固定部がプロテクタ本体に設けられ、この固定部の近傍に蓋が合せられるものとされているから、プロテクタ本体の変形は発生され難いものとされ、これにより、相手側取付体にプロテクタが装着される際に、相手側取付体に対するプロテクタの位置ずれは発生され難いものとなる。従って、プロテクタは、容易で迅速に相手側取付体に組付けられることとなる。
【００９４】
請求項８記載の発明によれば、蓋にテープ固定部が設けられ、蓋のテープ固定部を介してテープがプロテクタ本体に巻付けられることで、プロテクタ本体に対し蓋が閉じられると共に、プロテクタ本体に対し蓋が固定されるものであるから、テープの巻付けにより、蓋は確実にプロテクタ本体に固定されることとなる。従って、線状体はプロテクタ本体内に確実に収容されることとなる。
【００９５】
請求項９記載の発明によれば、テープが用いられて線状体がプロテクタ本体に固定されるためのテープ巻き部がプロテクタ本体に設けられているから、プロテクタ本体のテープ巻き部にテープが巻かれることで、線状体はプロテクタ本体内に確実に収容されることとなる。
【００９６】
請求項１０記載の発明によれば、線状体として、自動車の車輌本体に配策されるワイヤハーネスが用いられているから、自動車の車輌本体にワイヤハーネスが配策される場合、ワイヤハーネスに装着されたプロテクタが自動車の車輌本体に組付けられることで、容易で迅速に自動車の車輌本体にワイヤハーネスを配策させることが可能となる。従って、自動車の組立工程に関するワイヤハーネスの配策作業が迅速化されることとなる。
【図面の簡単な説明】
【図１】本発明に係るプロテクタの一実施形態を示す分解斜視図である。
【図２】プロテクタの一方の蓋とプロテクタ本体の側壁とを示す説明図であり、（ａ）は図１に示されるプロテクタ本体の一端側の取付部を示す拡大図、（ｂ）は（ａ）の変形例を示す説明図である。
【図３】プロテクタの他方の蓋とプロテクタ本体の側壁とを示す説明図であり、（ａ）は図１に示されるプロテクタ本体の他端側の取付部を示す拡大図、（ｂ）は（ａ）の変形例を示す説明図である。
【図４】プロテクタのテープ巻き部を示す側面図であり、（ａ）は図１に示されるプロテクタ本体のテープ巻き部を示す拡大図、（ｂ）は（ａ）の変形例を示す説明図である。
【図５】プロテクタの一端側の固定部を示す斜視図である。
【符号の説明】
１，１Ｘ　　　　プロテクタ
１０，１０１　　　一方の蓋（蓋）
１０ｔ，２０ｔ，２０ｔ１　　テープ固定部
１１ａ，１１ｈ，１１ｈ１　　リブ
２２ａ，２２ｈ，２２ｈ１　，２２ｐ，２２ｐ１　リブ
２０，２０１　　　他方の蓋（蓋）
３０　　　　　　一ブラケット（ブラケット、固定部）
６０　　　　　　他のブラケット（ブラケット、固定部）
７０　　　　　　プロテクタ本体
７０ａ　　　　　一端
７０ｂ　　　　　他端
７０ｄ　　　　　湾曲部
７１　　　　　　一側壁（側壁）
７２　　　　　　他側壁（側壁）
７３　　　　　　基壁
８０　　　　　　収容室
８０１　，８０２　　一部分
８０３　　　　　　他の部分
８０ａ，８０ａ１　，８０ｈ　切欠き部（テープ巻き部）
８１　　　　　　ヒンジ（一ヒンジ部）
８２　　　　　　ヒンジ（他ヒンジ部）
９１ａ，９１ｈ，９１ｈ１　　切込部（取付部）
９２ａ，９２ｈ，９２ｈ１　　切込部（取付部）
１００　　　　　ワイヤハーネス（線状体）
１１０　　　　　ケーブル（線状体）
２１０，２２０，２３０　　テープ
【図１】
2004007911.tif 000003
【図２】
2004007911.tif 000004
【図３】
2004007911.tif 000005
【図４】
2004007911.tif 000006
【図５】
2004007911.tif 000007